(57)【要約】【課題】店舗に設置されている各機器の一元管理を容易かつ低コストで実現し、店舗全体の状況を管理することで効率的な機器の運転を行う。【解決手段】本発明の店舗管理システムは、店舗１〜３の機器Ｎ１〜Ｎｎを監視し制御する店舗サーバ４と、機器Ｎ１〜Ｎｎについての複数の種別のいずれにも割り当て可能であり、自己の割り当てられた担当機器と店舗サーバ４との間でデータを中継し、予め設定された担当機器に対する臨時制御の内容を記録し、店舗サーバ４の異常を検出した場合に担当機器に対して臨時制御を実行する機器端末Ｋ１〜Ｋｎとを具備する。【選択図】    図１
2004192154.tif 000002
【特許請求の範囲】
【請求項１】
店舗の機器を監視し制御する店舗サーバと、
前記機器についての複数の種別のいずれにも割り当て可能であり、自己の割り当てられた担当機器と前記店舗サーバとの間でデータを中継し、予め設定された前記担当機器に対する臨時制御の内容を記録し、前記店舗サーバの異常を検出した場合に前記担当機器に対して前記臨時制御を実行する機器端末と
を具備する店舗管理システム。
【請求項２】
複数の店舗についての監視・制御を行うセンタサーバと、
前記センタサーバとネットワーク経由で通信可能であり、前記複数の店舗のそれぞれに割り当てられ、自己の割り当てられた店舗の機器を監視・制御する複数の店舗サーバと、
前記機器についての複数の種別のいずれにも割り当て可能であり、自己の割り当てられた担当機器とこの担当機器の属する店舗の店舗サーバとの間でデータを中継し、予め設定された前記担当機器に対する臨時制御の内容を記録し、前記担当機器の属する店舗の店舗サーバの異常を検出した場合に前記担当機器に対して前記臨時制御を実行する複数の機器端末と
を具備する店舗管理システム。
【請求項３】
請求項２記載の店舗管理システムにおいて、
前記複数の店舗サーバは、前記センタサーバと通信するために自己に割り当てられたルータのアドレスを監視し、現在のアドレスを前記センタサーバに通知し、
前記センタサーバは、前記複数の店舗サーバから通知されたアドレスを用いて、前記複数の店舗サーバに制御指令を送信する
ことを特徴とする店舗管理システム。
【請求項４】
請求項１乃至請求項３のいずれか記載の店舗管理システムにおいて、
前記機器は、外部からの制御指令に基づいて動作内容を切り替え、
前記機器端末は、前記店舗サーバから受けた制御指令又は前記臨時制御によって得られた制御指令を前記担当機器に通知する
ことを特徴とする店舗管理システム。
【請求項５】
請求項１乃至請求項４のいずれか記載の店舗管理システムにおいて、
前記機器端末は、自己と同じ店舗に属する前記店舗サーバとの間で所定期間通信不可の場合に前記臨時制御を実行することを特徴とする店舗管理システム。
【請求項６】
請求項１乃至請求項５のいずれか記載の店舗管理システムにおいて、
前記機器端末は、自己の通常時にソフトウェアの動作に基づいて出力を行う第１の出力手段と、自己の異常時にハードウェアの動作に基づいて出力を行う第２の出力手段とを具備することを特徴とする店舗管理システム。
【請求項７】
請求項１乃至請求項６のいずれか記載の店舗管理システムにおいて、
前記店舗サーバは、前記機器の温度管理制御を実行し、前記温度管理制御の結果得られる温度管理指令を前記機器端末経由で前記機器に発信し、
前記機器は温度管理指令に基づいて温度を調節する
ことを特徴とする店舗管理システム。
【請求項８】
請求項１乃至請求項７のいずれか記載の店舗管理システムにおいて、
前記機器は、冷蔵機又は冷凍機であり、
前記店舗サーバは、前記機器の温度の上限値と下限値の中間値と、前記下限値とに基づいて、前記中間値と前記下限値との間に前記機器から測定された温度値を収めるエネルギー浪費抑制制御を実行する
ことを特徴とする店舗管理システム。
【請求項９】
請求項１乃至請求項６のいずれか記載の店舗管理システムにおいて、
前記機器は、前記店舗に属する電力用機器であり、
前記機器端末は、前記機器について単相三線と三相三線と単相単線とのうちのいずれかの電力データを測定し、前記店舗に属する前記店舗サーバに通知することを特徴とする店舗管理システム。
【発明の詳細な説明】
【０００１】
【発明の属する技術分野】
本発明は、店舗の機器を監視・制御する店舗管理システムに関する。
【０００２】
【従来の技術】
店舗に設置されているショーケース、空調機などの各種機器には、センサが備えられる。各種機器では、自己に備えられたセンサによって検出されたデータに基づいて独自に制御が行われる。
【０００３】
例えば、オープンケース、冷蔵リーチン、冷蔵ウォークイン、冷凍リーチンなどのようなショーケースは、冷気を送風する冷凍機の運転を監視する制御盤を具備する。この制御盤では、主に機械的な制御が行われる。
【０００４】
特許文献１（特開平５−２３１７５８号公報）には、ＰＯＳシステムによって求まる各ショーケースの商品の在庫量及び商品の回転状況のデータに基づいて各ショーケースの運転モードの設定を制御する装置が記載されている。
【０００５】
特許文献２（特開２００１−３０７２５０号公報）には、店舗に設定される機器の警報内容毎にメール区分を設定し、機器について警報が発生した場合にこの警報内容のメール区分を求め、警報発生通知用の電子メールを作成し送信するシステムが記載されている。
【０００６】
特許文献３（特開２００１−１８６６５９号公報）には、店舗内の各種機器の需要電力を推定し、この推定された需要電力が所定の契約電力を超えないように各種機器の動作を制御するシステムが記載されている。
【０００７】
【特許文献１】
特開平５−２３１７５８号公報
【０００８】
【特許文献２】
特開２００１−３０７２５０号公報
【０００９】
【特許文献３】
特開２００１−１８６６５９号公報
【００１０】
【発明が解決しようとする課題】
店舗に備えられている機器毎に監視・制御を行うと、制御の結果が個々の機器の特性のみから影響を受け、例えば店舗全体でエネルギーの消費を効率化するなど、機器の管理を一元化することが困難である。
【００１１】
上記特許文献１〜３では、各機器がシステムコントローラ又は演算部により制御される。
【００１２】
しかしながら、このシステムコントローラ又は演算部は、制御対象の機器の種別に特化した制御を行うものである。例えば、ショーケースはショーケース特有のショーケースシステムコントローラによって制御される。その他の種別についても同様である。
【００１３】
したがって、上記特許文献１〜３では、店舗に機器を増設・変更する場合に、システムコントローラ又は演算部を含む機器を手配するか、新たに導入される機器と併せてこの機器特定のシステムコントローラ又は演算部も手配する必要がある。このため店舗の機器の増設・変更が容易でなく、機器の選択の自由度が制限され、機器を導入するためのコストも高くなる。
【００１４】
本発明は、以上のような実情に鑑みてなされたもので、店舗に設置されている各機器の一元管理を容易かつ低コストで実現し、店舗全体の状況を管理することで効率的な機器の運転を行う店舗管理システムを提供することを目的とする。
【００１５】
【課題を解決するための手段】
本発明を実現するにあたって講じた具体的手段について以下に説明する。
【００１６】
第１の発明では、店舗管理システムは、店舗サーバと機器端末とを具備する。店舗サーバは、店舗の機器を監視し制御する。機器端末は、機器についての複数の種別のいずれにも割り当て当て可能であり、自己の割り当てられた担当機器と店舗サーバとの間でデータを中継し、予め設定された担当機器に対する臨時制御の内容を記録し、店舗サーバの異常を検出した場合に担当機器に対して臨時制御を実行する。
【００１７】
第２の発明では、店舗システムは、センタサーバと、複数の店舗サーバと、複数の機器端末とを具備する。
【００１８】
センタサーバは、複数の店舗についての監視・制御を行う。複数の店舗サーバは、センタサーバとネットワーク経由で通信可能であり、複数の店舗のそれぞれに割り当てられ、自己の割り当てられた店舗の機器を監視・制御する。
【００１９】
複数の機器端末は、機器についての複数の種別のいずれにも割り当て可能であり、自己の割り当てられた担当機器とこの担当機器の属する店舗の店舗サーバとの間でデータを中継し、予め設定された担当機器に対する臨時制御の内容を記録し、担当機器の属する店舗の店舗サーバの異常を検出した場合に担当機器に対して前記臨時制御を実行する。
【００２０】
上記第２の発明において、複数の店舗サーバは、センタサーバと通信するために自己に割り当てられたルータのアドレスを監視し、現在のアドレスを前記センタサーバに通知し、センタサーバは、複数の店舗サーバから通知されたアドレスを用いて複数の店舗サーバに制御指令を送信するとしてもよい。
【００２１】
上記各発明において、機器は、外部からの制御指令に基づいて動作内容を切り替え、機器端末は、店舗サーバから受けた制御指令又は臨時制御によって得られた制御指令を担当機器に通知するとしてもよい。
【００２２】
上記各発明において、機器端末は、自己と同じ店舗に属する店舗サーバとの間で所定期間通信不可の場合に臨時制御を実行するとしてもよい。
【００２３】
上記各発明において、機器端末は、自己の通常時にソフトウェアの動作に基づいて出力を行う第１の出力手段と、自己の異常時にハードウェアの動作に基づいて出力を行う第２の出力手段とを具備するとしてもよい。
【００２４】
上記各発明において、店舗サーバは、機器の温度管理制御を実行し、温度管理制御の結果得られる温度管理指令を機器端末経由で前記機器に発信し、機器は温度管理指令に基づいて温度を調節するとしてもよい。
【００２５】
上記各発明において、機器は、冷蔵機又は冷凍機であり、店舗サーバは、機器の温度の上限値と下限値の中間値と、下限値とに基づいて、中間値と下限値との間に機器から測定された温度値を収めるエネルギー浪費抑制制御を実行するとしてもよい。
【００２６】
上記各発明において、機器は、店舗に属する電力用機器であり、機器端末は、機器について単相三線と三相三線と単相単線とのうちのいずれかの電力データを測定し、店舗に属する前記店舗サーバに通知するとしてもよい。
【００２７】
上記各発明では、機器種別に影響されることなく汎用性のある機器端末が店舗の各機器に任意に割り当てられる。機器端末は、店舗サーバからの制御指令にしたがって自己の割り当てられた機器を操作する。
【００２８】
したがって、店舗における機器の増設・変更があった場合にも増設・変更された機器に機器端末を割り当て、適切な設定を行うのみで容易に店舗内及び店舗間で機器を一元管理でき、機器選択の自由度が増し、機器を導入するためのコストが低くなる。
【００２９】
また、機器端末は、店舗サーバに異常が発生した場合に、自己が臨時制御を実行する。これにより、店舗サーバに異常が発生しても適切に機器を制御できる。
【００３０】
【発明の実施の形態】
以下、図面を参照しながら本発明の実施の形態について説明する。
【００３１】
本実施の形態においては、店舗全体の機器（設備）を一元管理し、機器の効率的な運用管理を行い、効率的な運転を行い、例えばエネルギー浪費抑制（以下、「省エネ」という）を行う店舗運営を実現する店舗管理システムについて説明する。
【００３２】
図１は、本実施の形態に係る店舗管理システムの構成の一例を示すブロック図である。
【００３３】
図２は、店舗の構成の具体例を示す図である。
【００３４】
店舗１は、機器Ｎ１〜Ｎｎ、機器Ｎ１〜Ｎｎに接続される機器端末Ｋ１〜Ｋｎ、機器端末Ｋ１〜Ｋｎに接続されるローカルサーバ（店舗サーバ）４、ローカルサーバ４に接続されるルータ５を備えている。
【００３５】
例えば、機器Ｎ１〜Ｎｎは、オープンケース、冷蔵リーチン、冷凍リーチン、おでん保温機、ドリンクケース、フライヤ、業務用冷蔵庫など、動力分電盤や電灯分電盤などの電力用機器、空調機、室外機、冷蔵用冷凍機などである。その他、冷蔵ウォークインなども機器とされる。
【００３６】
本実施の形態においては、電力用機器に割り当てられる機器端末を電力用端末とし、空調用機器に割り当てられる機器端末を空調用端末とし、その他の機器に割り当てられる機器端末を設備用端末とする。
【００３７】
機器端末Ｋ１〜Ｋｎは、電力用端末であれば任意の電力用機器とローカルサーバ４との間に設置可能であり、空調用端末であれば任意の空調用機器とローカルサーバ４との間に設置可能であり、設備用端末であれば任意の設備用機器とローカルサーバ４との間に設置可能である。
【００３８】
機器端末Ｋ１〜Ｋｎは、通常、店舗１における機器Ｎ１〜Ｎｎとローカルサーバ４との間の通信を中継する中継器として機能する。
【００３９】
機器端末Ｋ１〜Ｋｎは、自己の割り当てられた機器Ｎ１〜Ｎｎを監視するセンサ（例えば温度センサ、湿度センサ、臭いセンサ）によって定期的に収集された現在値データなどの各種データを入力し、ローカルサーバ４に出力する。
【００４０】
機器端末Ｋ１〜Ｋｎは、自己の割り当てられた機器Ｎ１〜Ｎｎに対する臨時制御（フェールセーフ制御）の内容の設定を受け付けて記録し、ローカルサーバ４の異常を検出した場合に自己の割り当てられた機器Ｎ１〜Ｎｎに対して臨時制御を実行する。
【００４１】
ローカルサーバ４は、機器端末Ｋ１〜Ｋｎから入力したデータに基づいて、機器Ｎ１〜Ｎｎを監視制御するとともに、データをセンタサーバ６に通知する。
【００４２】
ルータ５は、例えばインターネットなどのネットワーク７経由でローカルサーバ４と外部との通信を実現する。
【００４３】
本実施の形態においては他の店舗２、３も店舗１と同様の構成とし上記図１では記載を省略している。しかしながら、店舗２、３に備えられる機器は店舗１と異なっていてもよい。
【００４４】
サービス提供会社８は、ルータ９とセンタサーバ６とを備えている。
【００４５】
ルータ９は、ネットワーク７経由でセンタサーバ６と外部との通信を実現する。
【００４６】
センタサーバ６は、ローカルサーバ４から入力した現在値データなどの各種データに基づいて、監視、集計、制御を行う。そして、センタサーバ６は、各種データを現在値データ、制御データ、異常データなどに分類して蓄積し、機器管理会社１０のクライアントマシン１１及び店舗管理会社１２のクライアントマシン１３に対し、登録されたレベルに応じて必要なデータを公開するデータ配信サービスを行う。
【００４７】
例えば、センタサーバ６は、ローカルサーバ４から入力した現在値データに基づいて状態一覧監視、警報一覧監視を行い、現在値データを時系列に保存したトレンドデータを作成する。
【００４８】
センタサーバ６は、ローカルサーバ４から一定時間応答がない場合、ローカルサーバ４が異常であると判断し、ローカルサーバ４の異常を表示する。
【００４９】
機器管理会社１０の備えるクライアントマシン１１及び店舗管理会社１２の備えるクライアントマシン１３は、それぞれルータ１４、１５経由でサービス提供会社８から上述したデータ配信サービスを受ける。例えば、クライアントマシン１１は、異常発生時にライト１６等の異常表示装置により異常発生を通知する。また、クライアントマシン１１は、機器の故障の予測結果を表示する。
【００５０】
サービス提供会社８は、異常をネットワーク７経由で管理者等にメール通知する。
【００５１】
図３は、ローカルサーバ４の構成の一例を示すブロック図である。
【００５２】
ローカルサーバ４は、端末通信機能１７、センタ通信機能１８、店舗管理機能１９を具備する。
【００５３】
端末通信機能１７は、ローカル通信ドライバ１７ａとローカルインタフェース１７ｂによって機器端末Ｋ１〜Ｋｎとの通信を実現する。
【００５４】
センタ通信機能１８は、ルータ５を経由してセンタサーバ６と通信するために、センタ通信モジュール１８ａ、ルータ制御機能１８ｂとルータ５の設定を管理する機能１８ｃを含む。
【００５５】
また、センタ通信機能１８は、センタサーバ６など外部からインストール（ローカルサーバ４のソフトウェア入れ替え）を行うための外部インストール機能１８ｄ、シャットダウン処理１８ｅ、省エネパラメータ管理（省エネパラメータ変更）機能１８ｆ、端末パラメータ管理（フェールセーフモードパラメータ変更）機能１８ｇ、遠隔制御管理（端末のリレーＲＯ出力を遠隔で実行する）機能１８ｈ、異常設定管理（温度、湿度等、機器状態の上下限値の変更）機能１８ｉを含む。
【００５６】
店舗管理機能１９は、省エネ制御機能１９ａと異常監視機能１９ｂとを含む。
【００５７】
省エネ制御機能１９ａは、省エネ制御のための共通処理１９ｃ、ショーケース・冷凍機の省エネ制御を行う冷凍機制御１９ｄ、リーチン／ウォークイン扉の防露ヒータ制御１９ｅ、ショーケースの除霜ヒータ制御１９ｆ、おでん保温器制御、フライヤなどの臭いを換気扇で除去するＡＱ（エアクオリティ）制御１９ｇ、業務用冷蔵庫の省エネ制御１９ｈ、空調機をＰＭＶ値に基づいて制御するＰＶＭ制御１９ｉ、協調制御１９ｊなどを並列に実行する。
【００５８】
異常監視機能１９ｂは、機器の異常監視のための共通処理１９ｋ、例えば業務用冷凍庫、冷蔵庫、冷凍庫、空調機などのような機器の異常検出１９ｌ、例えば冷凍機、ショーケースなどのような機器の現状状態の推移又は空調機の現在状態の推移に基づいて故障予知１９ｍを実行する。
【００５９】
表１に、各店舗に設置されたローカルサーバ４の具備する店舗管理機能１９の実行する制御の説明の一覧を示す。
【００６０】
【表１】
2004192154.tif 000003
【００６１】
図４は、本実施の形態に係る店舗管理システムの処理の一例を示すフローチャートである。
【００６２】
ステップＡ１において、機器端末Ｋは、自己の割り当てられた機器Ｎ（図示せず）の負荷データを取得し、ローカルサーバ４に通知する。
【００６３】
ステップＡ２において、機器端末Ｋは、ローカルサーバ４から機器Ｎに対する制御結果である機器制御指令を受け、機器制御指令を確認する。
【００６４】
ステップＡ３において、機器端末Ｋは、機器Ｎに発報する必要があるか否か判断する。
【００６５】
発報する必要がある場合、ステップＡ４において、機器端末Ｋは、発報の目的は機器Ｎの制御か否か判断する。
【００６６】
機器Ｎの制御の場合、ステップＡ５において、機器端末Ｋは、例えばＲＯ出力制御のための制御指令を機器Ｎに発し、ステップＡ３の後段に処理を戻す。
【００６７】
一方、ステップＡ３において発報する必要がないと判断された場合、ステップＡ６において、機器端末Ｋは、ローカルサーバ４に異常が発生しており臨時制御（機器端末Ｋによる自律制御、フェールセーフ制御）が必要か否か判断する。
【００６８】
臨時制御が必要な場合、ステップＡ７において、機器端末Ｋは、負荷データを確認する。
【００６９】
ステップＡ８において、機器端末Ｋは、機器Ｎに発報する必要があるか否か判断する。
【００７０】
発報する必要がある場合、ステップＡ９において、機器端末Ｋは、発報の目的は機器Ｎの制御か否か判断する。
【００７１】
機器の制御の場合、ステップＡ１０において、機器端末Ｋは、例えばＲＯ出力制御のための制御指令を機器Ｎに発し、ステップＡ１の前段に処理を戻す。
【００７２】
ステップＢ１において、ローカルサーバ４は、機器端末Ｋからの負荷データを監視し、状態（ステータス）監視を行う。
【００７３】
ステップＢ２において、ローカルサーバ４は、機器端末Ｋからの負荷データをセンタサーバ６に通知するとともに、機器端末Ｋの状態を確認する。
【００７４】
ステップＢ３において、ローカルサーバ４は、例えば省エネ制御などの各種制御を実行し、制御結果である機器制御指令を機器端末Ｋに通知する。
【００７５】
ステップＢ４において、ローカルサーバ４は、機器端末Ｋ又は機器Ｎの故障診断を行う。
【００７６】
ステップＢ５において、ローカルサーバ４は、故障の診断結果をセンタサーバ６に通知する。
【００７７】
ステップＢ６において、ローカルサーバ４は、センタサーバ６との間のインタフェースが正常か否かを、信号を受けたか否かに基づいて判断する。
【００７８】
信号を受けた場合、ステップＢ７において、ローカルサーバ４は、自己が正常である旨を示すための応答信号をセンタサーバ６に通知する。
【００７９】
ステップＣ１において、センタサーバ６は、負荷データに基づいて状態監視を行う。
【００８０】
ステップＣ２において、センタサーバ６は、機器Ｎ、機器端末Ｋ、ローカルサーバ４の状態一覧を表示する。
【００８１】
ステップＣ３において、センタサーバ６は、状態監視の結果に基づいてトレンドデータを収集する。
【００８２】
ステップＣ４において、センタサーバ６は、機器Ｎに異常があるか否か判断する。
【００８３】
機器Ｎに異常がある場合、ステップＣ５において、センタサーバ６は、警報一覧を表示する。
【００８４】
ステップＣ６において、センタサーバ６は、ローカルサーバ４における故障診断結果が異常を示すか否か判断する。
【００８５】
異常を示さない場合、ステップＣ７において、センタサーバ６は、ローカルサーバ４が正常か否かを、信号と応答信号の送受信により確認する。
【００８６】
ステップＣ８において、センタサーバ６は、ローカルサーバ４に信号を送信したが応答信号を受信することがなく３回連続でタイムアウトが発生したか判断する。
【００８７】
上記ステップＣ６において故障診断結果が異常を示す場合又は上記Ｃ８において３回連続のタイムアウトが発生した場合、ステップＣ９において、センタサーバ６は、故障を示す診断結果を表示する。
【００８８】
図５は、本実施の形態に係る店舗管理システムにおいてローカルサーバ４に異常が発生した場合の処理の一例を示すフローチャートである。
【００８９】
ステップＤ１において、センタサーバ６は、店舗１のローカルサーバ４が正常か判断するための信号をローカルサーバ４に通知し、店舗監視を行う。
【００９０】
ステップＤ２において、センタサーバ６は、ローカルサーバ４から応答信号を受けたか否か判断する。
【００９１】
応答信号を受けていない場合、ステップＤ３において、センタサーバ６は、例えば停電が発生したなど、ローカルサーバ４に異常が発生したと判断し、ステップＤ４において異常が発生した旨を表示する。
【００９２】
ステップＥ１において、ローカルサーバ４は、センタサーバ６から自己が正常か判断するための信号を待つ。
【００９３】
ステップＥ２において、ローカルサーバ４は、センタサーバ６から信号を受けたか否か判断する。
【００９４】
信号を受けた場合、ステップＥ３において、ローカルサーバ４は、応答信号をセンタサーバ６に通知する。
【００９５】
ステップＦ１において、ローカルサーバ４は、機器端末Ｋに臨時制御（例えばフェールセーフ制御）実行フラグを要求し、機器端末Ｋから臨時制御実行フラグを含むステータスデータを取得する。
【００９６】
ステップＦ２において、ローカルサーバ４は、臨時制御実行フラグがＯＮか判断する。
【００９７】
臨時制御実行フラグがＯＮの場合、ステップＦ３において、ローカルサーバ４は、異常履歴データに異常が発生した旨を追加する。
【００９８】
ステップＦ４において、ローカルサーバ４は、臨時制御実行フラグをＯＦＦにする旨の指令を機器端末Ｋに通知する。
【００９９】
ステップＧ１において、機器端末Ｋは、ローカルサーバ４から臨時制御実行フラグなどの含むステータスデータの要求信号を待つ。
【０１００】
ステップＧ２において、機器端末Ｋは、所定時間経過してもローカルサーバ４から要求信号を受けなかった場合、タイムアウトを発生する。
【０１０１】
タイムアウトを発生した場合、ステップＧ３において、機器端末Ｋは、臨時制御を実行する。
【０１０２】
ステップＧ４において、機器端末Ｋは、自己の記録する臨時制御実行フラグをＯＮとする。
【０１０３】
ステップＧ５において、機器端末Ｋは、ローカルサーバ４から要求信号を受け、ステータスデータを通知する必要があるか否か判断する。
【０１０４】
ステータスデータを通知する場合、ステップＧ６において、機器端末Ｋは、ステータスデータをローカルサーバ４に通知する。
【０１０５】
ステップＧ７において、機器端末Ｋは、ローカルサーバ４から制御指令を受け、ローカルサーバ４が正常となったか否か判断する。
【０１０６】
制御指令を受けた場合、ステップＧ８において、機器端末Ｋは、臨時制御を中止し、ローカルサーバ４正常時の処理を実行する。
【０１０７】
制御指令を受けていない場合、ステップＧ９において、機器端末Ｋは、臨時制御を実行する。
【０１０８】
各店舗１〜３に設置されたローカルサーバ４は、上記表１に例示したような店舗管理機能を具備する。
【０１０９】
上記表１に示す店舗管理機能１９の制御は、機器からの負荷データに基づく省エネ制御として実行される。
【０１１０】
ローカルサーバ４正常時は、機器について全ての制御がローカルサーバ４によって管理される。このため、機器を制御（例えばショーケースの除霜ヒータ制御など）するために機器毎に独立に備えられていた制御盤又はシステムコントローラは不要となる。
【０１１１】
また、ローカルサーバ４の得たデータは、ルータ５を経由してセンタサーバ６に通知される。
【０１１２】
ローカルサーバ４は、自己に割り当てられたルータ５のアドレスが変更される場合を考慮し、図６に示すルータアドレス監視を常時行う。
【０１１３】
この図６において、ローカルサーバ４は、ステップＨ１においてルータ５のアドレスを監視し、ステップＨ２においてルータ５のアドレス変更が生じた場合に、ステップＨ３において変更後のアドレスを取得し、ステップＨ４においてセンタサーバに変更後のアドレスを通知する。
【０１１４】
センタサーバ６は、ステップＩ１においてローカルサーバ４を監視し、ステップＩ２において変更後のアドレスにしたがってアドレス管理ファイルを更新し、ステップＩ３においてローカルサーバ４についての変更後のアドレスで設定を行う。
【０１１５】
このように、ルータ５の変更後のアドレスをセンタサーバ６に通知しておくことで、センタサーバ６は、ローカルサーバ４への外部インストール、シャットダウン、省エネパラメータ変更、端末パラメータ変更、遠隔制御、異常設定値変更などを常に実行可能である。
【０１１６】
センタサーバ６のアドレス変更又は新たなセンタサーバ６の設置によりデータ送信先の変更又は追加が生じた場合、図７に示すように、ローカルサーバ４は、ステップＪ１においてセンタサーバ６のアドレスを監視し、ステップＪ２においてアドレス変更可能か判断する。アドレス変更可能な場合、ローカルサーバ４は、ステップＪ３においてセンタサーバ６から新アドレスを取得し、Ｊ４において、通信の設定を行う。
【０１１７】
センタサーバ６は、ステップＬ１においてローカルサーバ４にログインし、ステップＬ２において新アドレスをローカルサーバ４に通知し、ステップＬ３において新アドレスでのデータ受信を待ち、ステップＬ４においてデータを受信した場合、ステップＬ５において新アドレスの登録を完了する。
【０１１８】
ローカルサーバ４のセンタ通信機能１８に含まれる外部インストール機能１８ｄは、上記図６及び図７の処理によってセンタサーバ６とローカルサーバ４との間で通信可能な状態で実行される。
【０１１９】
図８は、外部インストール機能１８ｄによって実行される処理の一例を示すフローチャートである。
【０１２０】
ステップＭ１において、ローカルサーバ４は、外部インストール機能１８ｄの実行を開始する。
【０１２１】
ステップＭ２において、ローカルサーバ４は、外部からのインストールが必要か判断する。
【０１２２】
外部からのインストールが必要な場合、ステップＭ３において、ローカルサーバ４は、センタサーバ６に対してインストールを要求し、センタサーバ６からインストール対象の実行ファイルを受け付け、例えばＲＯＭなどの記録装置を更新する。
【０１２３】
ステップＭ４において、ローカルサーバ４は、リスタート指令をセンタサーバ６から受けつけたか否かによりリスタートを実施するか否か判断する。
【０１２４】
リスタートを実施する場合、ステップＭ５において、ローカルサーバ４は、シャットダウン処理を実行し、リスタートする。
【０１２５】
ステップＭ６において、ローカルサーバ４は、ファイルＮＵＬＬ化を実行し、上記ステップＭ１に処理を戻す。
【０１２６】
ステップＰ１において、センタサーバ６は、ローカルサーバ４からのインストール要求に応じて外部インストールを実行するための機能を選択する。
【０１２７】
ステップＰ２において、センタサーバ６は、実行ファイルの更新が必要か否か判断する。
【０１２８】
更新が必要な場合、センタサーバ６は、ステップＰ３において記録装置より実行ファイルを読み出し、ステップＰ４において実行ファイルを選択し、ステップＰ５において実行ファイルを送信する。
【０１２９】
ステップＰ６において、センタサーバ６は、ローカルサーバのリスタートが必要か判断する。
【０１３０】
リスタートが必要な場合、ステップＰ７において、センタサーバ６は、ローカルサーバ４にリスタート指令を通知する。
【０１３１】
設備用端末、電力用端末は、標準化された一定の入力点数を持つ端末として設計される。
【０１３２】
設備用端末は、例えば、表２、表３に示す入力点数を有する。なお、＊印の付されているＲＯの項目については、臨時制御を実施する。
【０１３３】
【表２】
2004192154.tif 000004
【０１３４】
【表３】
2004192154.tif 000005
【０１３５】
また、電力用端末は、例えば、表４、表５に示す入力点数を有する。
【０１３６】
【表４】
2004192154.tif 000006
【０１３７】
【表５】
2004192154.tif 000007
【０１３８】
設備用端末のＤＩ、ＲＴＤ、ＡＩデータは、常時ローカルサーバ４に伝達される。電力用端末の電流、電圧、この電流と電圧との積から求められる電力データは、常時ローカルサーバ４に伝達される。
【０１３９】
ローカルサーバ４に異常が発生した場合、上記図５に示すように、センタサーバ６からの信号に対してローカルサーバ４が応答しない、機器端末Ｋに対してステータスデータの要求がないという事象が発生する。
【０１４０】
本実施の形態に係る店舗管理システムの制御の一例として、電磁弁制御について説明する。
【０１４１】
図９は、電磁弁制御の臨時制御の一例を示すタイミングチャートであり、例として電磁弁制御が省エネ制御の場合を示している。
【０１４２】
図９に示される電磁弁制御は、温度の上限値、下限値を設定し、この上下限値を利用して以下のように実行される。
【０１４３】
（１）電磁弁開制御
この制御は、ショーケースの各冷蔵用冷凍機のグループ単位で行われる。
【０１４４】
（１−ａ）  各ショーケースの温度が、各々の設定値（サーモＯＦＦ温度）を上回ったら、全ての電磁弁を開制御する。
【０１４５】
（１−ｂ）  制御中において上記（１−ａ）後、同一グループ内の全ての電磁弁が一度も閉制御に至っていない場合、設定値（サーモＯＮ温度）を下回り電磁弁が閉となったショーケースが、再び設定値幅の５０％（可変可能値で例えば：（下限値＋上限値）×０．５）を上回った場合、その電磁弁を開制御する。
【０１４６】
（１−ｃ）  冷凍機の再起動タイマ中は電磁弁の開制御は行わない。
【０１４７】
（２）電磁弁閉制御
この制御は、ショーケースの各冷蔵用冷凍機のグループ単位に行われる。
【０１４８】
（２−ａ）  各々のショーケースの温度が、各々の設定値（サーモＯＮ温度）を下回ったら、全ての電磁弁を閉制御する。
【０１４９】
（２−ｂ）  室温が低い場合、上記条件が不成立であっても高温ショーケース（弁当）の電磁弁を閉制御する。
【０１５０】
（３）冷蔵用冷凍機運転制御
いずれかの電磁弁に開制御指令を出力後、冷蔵用冷凍機を運転制御する。
【０１５１】
（４）冷蔵用冷凍機停止制御
全ての電磁弁を１サイクル中一度でも閉制御したら、冷蔵用冷凍機を停止制御する。なお、１サイクルとは、冷蔵用冷凍機が停止状態から運転し再度停止するまでとする。
【０１５２】
例えば、ローカルサーバ４の停電等が発生して機能が停止し、設備用端末が最後の指令状態のまま運転を継続することになると、ショーケースの弁の開状態が続き、内部に巨大な氷ができ、機器の故障が発生する原因となる。
【０１５３】
そこで、設備用端末に対してＬＯＮノードにて予め臨時制御モード（フェールセーフモード）を設定し、ローカルサーバ４からのデータが途絶えた時、設備用端末はＲＯを所定の方向に動作するとする。
【０１５４】
上記表２、３に示すように、ＲＯ（リレー接点出力）に電磁弁閉（開）指令が割り付けられている設備用端末は、上記図９のように、上下限値にて電磁弁の開／閉制御を行う。
【０１５５】
下限値（Ｌ）＞温度（Ｔ）  ＲＯ出力（電磁弁開）
上限値（Ｈ）＜温度（Ｔ）  ＲＯ出力（電磁弁閉）
除霜制御の動作中は、電磁弁閉状態とする。自局内に除霜制御が割り当てられていない場合、例えばノードＮｏ．＝０１ｈのＲＯ４「除霜ランプ表示（消灯）指令除霜制御」がある場合、除霜制御を考慮した動作を行う。除霜制御発生時刻になった場合、自ＩＯＵ内の電磁弁割り当てＲＯを動作させることにより電磁弁を閉状態にしてから除霜が除霜が割り当てられたＲＯを動作させることにより除霜ヒータ、ランプをＯＮする。除霜制御終了時は、除霜制御が割り当てられたＲＯを動作させることにより除霜ヒータ、ランプをＯＦＦにしてから電磁弁の制御を再開する。
【０１５６】
また、「除霜ランプ表示（消灯）指令除霜制御」に割り付けられる臨時制御時の除霜制御は、通常、オープンケース、冷蔵リーチン、冷凍リーチン毎に回数が異なるため複数のレベルによるパターンが用意される。
【０１５７】
図１０は、除霜制御の臨時制御の一例を示すタイミングチャートである。この図１０に示すように、タイマの開始は、ＲＯレベルの変更が発生してからとする。
【０１５８】
除霜制御は、電磁弁制御と連動した動作を行うが、自ＩＯＵ内に電磁弁制御が割り当てられていない場合、電磁弁制御を考慮した動作は行わない。除霜時間は、所定時間、例えば３０分必ず行う。このため、電磁弁の動作にて開始時刻が遅れた場合には、その分除霜時間が延長される。
【０１５９】
図１１は、設備用端末と電磁弁の接続の一例を示す図である。この図１１に示すように、設備用端末２０のリレー接点出力には、ソフトウェアにて動作させる出力ポート（ＮＯ／ＮＣ）２０ａの他に、端末電源断やハードウェアの暴走が発生した場合にハードウェアにて駆動するリレー接点出力ポート２０ｂを備えている。正常時に、機器２１（例えば電磁弁）の庫内温度を測定するサーモスイッチ２１ａは切断状態とされ、異常時に、サーモスイッチ２１ａは接続状態とされる。設備用端末２０に異常が発生した場合、設備用端末２０と機器２１は機械動作にて運用される構成となっている。
【０１６０】
電力用端末は、例えば上記表４、表５に示す入力を有する。電力用端末の適用される店舗の電力盤には、三相平衡である単相三線の電灯盤、三相不平衡である三相三線の動力盤、また各負荷には単相単線の適用が考えられる。
【０１６１】
図１２は、電力用端末による分電盤からのデータ取得方法の一例を示す図である。この図１２には、分電盤と電力用端末の入力との接続例が表されている。電力用端末のＣＴでは、各相を流れる電流を取得する。ＶＴは、単相三線の場合にＲ−Ｎ−Ｔに接続され、単相三線の場合にＲ−Ｓ−Ｔから入力を行い、単相単線の場合にＲ−Ｎ又はＮ−Ｔに接続される。
【０１６２】
電力用端末は、電圧（ＶＴ）と電流（ＣＴ）の値を直接ベクトル値として積の値を求めることにより、位相を考慮した有効電力を求める。単相電力の場合、一方が未接続となり、値が０となるため、本方法による測定にて問題ない構成となっている。電力量は、この電力をサンプリングし積算して求める。
【０１６３】
以上説明した本実施の形態においては、店舗１において、機器Ｎ１〜Ｎｎのセンサ（測定装置）、機器端末Ｋ１〜Ｋｎ、ローカルサーバ４を追加することで、店舗１を効率的に運用管理でき、省エネを実現させることができる。
【０１６４】
各機器Ｎ１〜Ｎｎにシステムコントローラ、演算部、制御盤などが具備されていなくてもソフトウェアによる制御を実行できる。したがって、店舗１に設置できる機器の選択の自由度が増し、店舗１の各機器Ｎ１〜Ｎｎを一元管理できる。
【０１６５】
このように店舗１の機器Ｎ１〜Ｎｎに特別な装置を備えることなく、外付けの装置で店舗管理を行うことで、機器の変更、追加、削除に対して対処容易であり、店舗管理のためのコスト、機器の導入コストを削減できる。
【０１６６】
機器端末Ｋ１〜Ｋｎは、複数の機器種別に対して汎用的に適用でき、複数の機器種別に対して適用できるため、入れ替え前の機器に割り当てられていた機器端末を入れ替え後の機器に対して流用できる。
【０１６７】
各店舗１〜３のローカルサーバ４は、店舗１〜３のルータ５のアドレスを常時監視し、最新のアドレスをセンタサーバ６に通知する。これにより、センタサーバ６から各店舗１〜３のローカルサーバ４への制御指令の通知を確実に行うことができる。
【０１６８】
機器端末Ｋ１〜Ｋｎは、例えばローカルサーバ４との間で通信可能か判断することによりローカルサーバ４の異常を検出し、異常発生時にそれぞれ予め登録された機器Ｎ１〜Ｎｎに対する臨時制御を実行する。これにより、ローカルサーバ４に異常が発生しても、機器端末Ｋ１〜Ｋｎによって個別に臨時制御が実行され、フェールセーフ制御が実行され、制御の信頼性が向上する。
【０１６９】
機器端末Ｋ１〜Ｋｎは、自己に異常が発生した場合に、ソフトウェアによる出力とは別のハードウェアによる出力機構を備えており、自己の異常時にハード出力により安全にリレー出力を切り替えることができる。
【０１７０】
なお、ローカルサーバ４は、予め設定された上限値と下限値の間に制御対象の値を収める制御を実行してもよい。一方、制御対象の値が温度であり、制御対象の機器が冷蔵機又は冷凍機の場合、上限値に代えて上限値と下限値の中間値を用い、中間値と下限値の間に制御対象の値を収める制御を実行してもよい。これにより、冷蔵機又は冷凍機の停止時間を長く保つことができ、省エネ制御を実行することができる。
【０１７１】
【発明の効果】
以上詳記した本発明においては、店舗に設置されている各機器の一元管理を容易かつ低コストで実現し、店舗全体の状況を管理することで効率的な機器の運転を行うことができる。
【図面の簡単な説明】
【図１】本発明の実施の形態に係る店舗管理システムの構成の一例を示すブロック図。
【図２】店舗の構成の具体例を示す図。
【図３】ローカルサーバの構成の一例を示すブロック図。
【図４】同実施の形態に係る店舗管理システムの処理の一例を示すフローチャート。
【図５】同実施の形態に係る店舗管理システムにおいてローカルサーバに異常が発生した場合の処理の一例を示すフローチャート。
【図６】ルータアドレス監視処理の一例を示すフローチャート。
【図７】センタサーバのアドレス変更処理の一例を示すフローチャート。
【図８】外部インストール機能の処理の一例を示すフローチャート。
【図９】電磁弁制御の臨時制御の一例を示すタイミングチャート。
【図１０】除霜制御の臨時制御の一例を示すタイミングチャート。
【図１１】設備用端末と電磁弁の接続の一例を示す図。
【図１２】分電盤からのデータ取得方法の一例を示す図
【符号の説明】
１〜３…店舗、４…ローカルサーバ、５，９，１４，１５…ルータ、６…センタサーバ、７…ネットワーク、Ｎ１〜Ｎｎ…機器、Ｋ１〜Ｋｎ…機器端末
【図１】
2004192154.tif 000008
【図２】
2004192154.tif 000009
【図３】
2004192154.tif 000010
【図４】
2004192154.tif 000011
【図５】
2004192154.tif 000012
【図６】
2004192154.tif 000013
【図７】
2004192154.tif 000014
【図８】
2004192154.tif 000015
【図９】
2004192154.tif 000016
【図１０】
2004192154.tif 000017
【図１１】
2004192154.tif 000018
【図１２】
2004192154.tif 000019